(57)【特許請求の範囲】
【請求項１】
物体に設置される無線通信装置において、
前記物体の近傍を通過する移動端末装置と無線通信を行って、前記移動端末装置を識別する端末識別情報を前記移動端末装置から受信する通信部と、
前記移動端末装置に係る情報の連絡先を示す連絡先情報を、前記端末識別情報に対応付けて記憶する連絡先情報記憶部と、
前記移動端末装置が通過すべき他の物体の近傍を通過していないことを示す未通過情報を入力する入力部と、
前記入力部により入力された未通過情報を、前記端末識別情報に対応付けて記憶する未通過情報記憶部と、
前記通信部により受信された端末識別情報に対応する未通過情報が前記未通過情報記憶部に記憶されている場合に、前記端末識別情報に対応する前記連絡先情報記憶部に記憶された連絡先情報に基づいて、前記移動端末装置が前記物体の近傍を通過したことを前記連絡先に通知する連絡部とを備えることを特徴とする無線通信装置。
【請求項２】
前記無線通信装置は、さらに、
前記通信部により受信された端末識別情報に対応する未通過情報が前記未通過情報記憶部に記憶されていない場合に、前記移動端末装置が前記物体の近傍を通過したことと当該通過時刻とを示す通過情報を生成する通過情報生成部と、
前記通過情報生成部により生成された通過情報を、前記端末識別情報に対応付けて記憶する通過情報記憶部と、
前記通過情報記憶部に記憶された通過情報を出力する出力部とを備えることを特徴とする請求項１に記載の無線通信装置。
【請求項３】
前記無線通信装置は、さらに、
前記移動端末装置が前記物体の近傍を通過すべき予定時刻を示す予定時刻情報を、前記端末識別情報に対応付けて記憶する予定時刻情報記憶部と、
前記予定時刻が過ぎたときに、前記予定時刻情報記憶部に記憶された予定時刻情報に対応する端末識別情報が前記通信部により受信されていなかった場合に、前記未通過情報を生成する未通過情報生成部と、
前記未通過情報生成部により生成された未通過情報を出力する出力部とを備えることを特徴とする請求項１に記載の無線通信装置。
【請求項４】
前記無線通信装置は、さらに、
前記移動端末装置が前記物体の近傍を複数回通過したときの当該通過時刻の平均を計算する時刻平均計算部と、
前記予定時刻を前記時刻平均計算部により計算された時刻の平均に変更して、前記予定時刻情報記憶部に記憶された予定時刻情報を更新する予定時刻情報更新部とを備えることを特徴とする請求項３に記載の無線通信装置。
【請求項５】
前記無線通信装置は、さらに、
前記端末識別情報を予め記憶する端末識別情報記憶部を備え、
前記連絡部は、前記通信部により受信された端末識別情報が前記端末識別情報記憶部に記憶されていない場合に、前記移動端末装置が前記物体の近傍を通過したことを所定の連絡先に通知することを特徴とする請求項１に記載の無線通信装置。
【請求項６】
前記入力部は、前記移動端末装置が複数の物体の近傍を通過すべき順序を示す順序情報を入力し、
前記無線通信装置は、さらに、
前記入力部により入力された順序情報を記憶する順序情報記憶部を備え、
前記通信部は、前記順序情報記憶部に記憶された順序情報に基づいて、前記移動端末装置が次に近傍を通過すべき物体を識別する物体識別情報を前記移動端末装置に送信することを特徴とする請求項５に記載の無線通信装置。
【請求項７】
前記物体は、移動体であり、
前記無線通信装置は、さらに、
前記移動体の加速度を測定する加速度測定部を備え、
前記連絡部は、前記通信部により受信された端末識別情報が前記端末識別情報記憶部に記憶されておらず、かつ、前記加速度測定部により測定された前記移動体の加速度が所定の加速度以上である場合に、前記移動端末装置が前記物体の近傍を通過したことを前記所定の連絡先に通知することを特徴とする請求項５に記載の無線通信装置。
【請求項８】
前記入力部は、前記移動端末装置が前記物体の近傍を通過する前に通過すべき他の物体の近傍を前記移動端末装置が通過したことを示す通過情報を入力し、
前記無線通信装置は、さらに、
前記入力部により入力された通過情報を、前記端末識別情報に対応付けて記憶する通過情報記憶部を備え、
前記連絡部は、前記通信部により受信された端末識別情報に対応する通過情報が前記通過情報記憶部に記憶されていない場合に、前記移動端末装置が前記物体の近傍を通過したことを所定の連絡先に通知することを特徴とする請求項１に記載の無線通信装置。
【請求項９】
前記物体は、前記移動端末装置の利用者が乗るべき移動体であり、
前記他の物体は、前記利用者が前記移動体に乗る前に通過すべきゲートウェイであることを特徴とする請求項８に記載の無線通信装置。
【請求項１０】
前記移動体は、異なる日の同じ時刻にスケジュールされた同じ路線の電車の車両であり、
前記ゲートウェイは、前記電車が停車する駅の自動改札装置であることを特徴とする請求項９に記載の無線通信装置。
【請求項１１】
物体に設置される無線通信装置により実行される無線通信プログラムにおいて、
前記物体の近傍を通過する移動端末装置と無線通信を行って、前記移動端末装置を識別する端末識別情報を前記移動端末装置から受信する通信処理と、
前記移動端末装置に係る情報の連絡先を示す連絡先情報を、前記端末識別情報に対応付けて前記無線通信装置の記憶装置に記憶する連絡先情報記憶処理と、
前記移動端末装置が通過すべき他の物体の近傍を通過していないことを示す未通過情報を入力する入力処理と、
前記入力処理により入力された未通過情報を、前記端末識別情報に対応付けて前記無線
通信装置の記憶装置に記憶する未通過情報記憶処理と、
前記通信処理により受信された端末識別情報に対応する未通過情報が前記無線通信装置の記憶装置に記憶されている場合に、前記端末識別情報に対応する前記無線通信装置の記憶装置に記憶された連絡先情報に基づいて、前記移動端末装置が前記物体の近傍を通過したことを前記連絡先に通知する連絡処理とをコンピュータに実行させることを特徴とする無線通信プログラム。
【発明の詳細な説明】
【技術分野】
【０００１】
本発明は、無線通信装置及び無線通信プログラム及び移動端末装置及び移動端末プログラム及び通信方法に関するものである。例えば、Ｂｌｕｅｔｏｏｔｈ（登録商標）（以下、ＢＴという。）などを用い、被保護者（子供などセキュリティを確保したい人）のセキュリティ装置（移動端末装置に相当する。）と、日常的に利用する車両（自家用車、スクールバス、電車（列車）など）や駅の改札などの通過点（無線通信装置が設置される。）とをペアリング（予め相互認識する対象として登録し、近傍にあった場合に接続）可能とし、最後に通過した地点における位置情報及び時刻情報の通知や、誤って乗車した場合の通知などを行う装置及びプログラム及びシステム及び方法に関するものである。
【背景技術】
【０００２】
従来のセキュリティ装置においては、ＧＰＳ（グローバルポジショニングシステム）を用いて、被保護者の位置を、サーバ側で探索及び監視し、異常事態を検知し、指定した端末へ通知していた（例えば、特許文献１参照）。
【特許文献１】特開２００４−２２０５７２号公報
【発明の開示】
【発明が解決しようとする課題】
【０００３】
上記のように、子供などの安全を確保するためにＧＰＳを備えた携帯電話などの通信機器を用い、居場所を検知するシステムは存在するが、被保護者自身からの情報発信や、被保護者が接触する物（例えば、自家用車、スクールバスなどのバス、電車といった車両）からのアクティブな情報発信はなかった。また、上記のように、ＧＰＳが動作可能な屋外での情報収集を行うシステムでは、測位精度の悪さなどからバスや電車などでの利用が困難であり、被保護者が誤った車両に乗ったときや日常の行動範囲を逸脱したときなどに、その旨を本人や保護者などに連絡したり、乗車すべき車両の情報などを通知したりすることができなかった。さらに、日常的に利用する車体が決まっていない公共の交通機関網では、特定の利用者を追跡することができなかった。
【０００４】
本発明は、例えば、子供などの被保護者が行方不明のとき、バスや電車などの車両に乗ったとき、誤った車両に乗ったときなどに、被保護者の行方を保護者に自動的に通知することを目的とする。
【課題を解決するための手段】
【０００５】
本発明の無線通信装置は、
物体に設置される無線通信装置において、
前記物体の近傍を通過する移動端末装置と無線通信を行って、前記移動端末装置を識別する端末識別情報を前記移動端末装置から受信する通信部と、
前記移動端末装置に係る情報の連絡先を示す連絡先情報を、前記端末識別情報に対応付けて記憶する連絡先情報記憶部と、
前記移動端末装置が通過すべき他の物体の近傍を通過していないことを示す未通過情報を入力する入力部と、
前記入力部により入力された未通過情報を、前記端末識別情報に対応付けて記憶する未通過情報記憶部と、
前記通信部により受信された端末識別情報に対応する未通過情報が前記未通過情報記憶部に記憶されている場合に、前記端末識別情報に対応する前記連絡先情報記憶部に記憶された連絡先情報に基づいて、前記移動端末装置が前記物体の近傍を通過したことを前記連絡先に通知する連絡部とを備えることを特徴とする。
【発明の効果】
【０００６】
本発明では、無線通信装置の連絡部が、通信部により受信された端末識別情報に対応する未通過情報が未通過情報記憶部に記憶されている場合に、端末識別情報に対応する連絡先情報記憶部に記憶された連絡先情報に基づいて、移動端末装置が物体の近傍を通過したことを連絡先に通知することにより、例えば、子供などの被保護者が行方不明のときなどに、被保護者の行方を保護者に自動的に通知することが可能となる。
【発明を実施するための最良の形態】
【０００７】
以下、本発明の実施の形態について、図を用いて説明する。
【０００８】
実施の形態１．
図１は、本実施の形態に係る通信システムの構成を示す図である。
【０００９】
本実施の形態において、通信システム１００は、１つ以上の認証物２００、１つ以上の携帯端末３００、１つ以上のサーバ４００、個々の携帯端末３００ごとに指定された１つ以上の連絡先５００、公衆網６００を備える。
【００１０】
認証物２００は、認証スポット（物体の一例であるが、「認証スポットを通過する」などと表現した場合は、物体の近傍を含むものとする。）に設置される無線通信装置の一例である（「認証スポット（又は物体）に設置する」とは、物体の近傍に設置することを含むものとする。）。ここで、認証スポットとは、例えば、自動車、バス、電車などの車両、エレベータ、門、駅の自動改札装置などである。認証スポットは、認証物２００が設置できるものであればどのような物体でもよい。
【００１１】
通信システム１００において、認証物２００と携帯端末３００は、少なくともＢＴなどに代表される近距離無線を介して相互に通信可能である。他の近距離無線方式としては、無線ＬＡＮ（ローカルエリアネットワーク）やＲＦＩＤ（Ｒａｄｉｏ  Ｆｒｅｑｕｅｎｃｙ  ＩＤｅｎｔｉｆｉｃａｔｉｏｎ）なども利用可能である。認証物２００は、その認証物２００が設置された認証スポットを通過した（その認証物２００自体に接近した）携帯端末３００と無線通信を行う。また、認証物２００は、公衆網６００を介して、他の認証物２００、サーバ４００、連絡先５００などと有線、無線、又はその組み合わせのいずれかの回線を用いて通信を行う。
【００１２】
携帯端末３００は、認証スポットを通過する移動端末装置の一例である。携帯端末３００は、公衆網６００を介して、他の携帯端末３００、サーバ４００、連絡先５００などと通信を行う。携帯端末３００は、例えば、子供などの被保護者が所持する携帯電話などである。通信システム１００においては、被保護者が保持する携帯端末３００ごとに、個々の被保護者が日常的に通過する（利用する）時刻が予測可能な場所や移動体（乗用車、バス、電車など）に設置された認証物２００と、異常事態が判明した際などの連絡先５００を一つ以上指定する。
【００１３】
なお、本実施の形態の説明においては、被保護者（保護対象者）と携帯端末３００を同一視するため、被保護者と携帯端末３００は密着しているか、あるいは、必ず近傍にあることを前提としている。例えば、携帯端末３００として、密着可能な形状を有し、容易に第三者に持ち去られることがない方法で装着可能なもの、あるいは、密着可能で、容易に第三者に持ち去られることがない装具を用いて常に被保護者の近傍にあることが保証可能なものを想定している。ただし、携帯端末３００は、被保護者が携帯できるものであれば、このようなものに限らない。
【００１４】
サーバ４００は、公衆網６００を介して認証物２００と携帯端末３００と通信を行うサーバ装置の一例である。サーバ４００は、公衆網６００を介して、認証物２００、携帯端末３００、連絡先５００などと通信を行う。
【００１５】
連絡先５００は、携帯端末３００に係る情報の連絡先の一例である。連絡先５００は、例えば、親などの保護者が使用する電話機、ＦＡＸ機、携帯電話、ＰＣ（パーソナルコンピュータ）などである。
【００１６】
公衆網６００は、ネットワークの一例である。公衆網６００は、例えば、ＩＰ（インターネットプロトコル）ネットワーク、電話網、移動通信ネットワーク、ＭＡＮ（メトロポリタンエリアネットワーク）、ＷＡＮ（ワイドエリアネットワーク）、インターネットなどである。
【００１７】
通信システム１００において、サーバ４００は、認証物２００と携帯端末３００を登録し、認証物２００と携帯端末３００から送信される情報を管理する。認証物２００から送信される情報は、例えば、個々の認証物２００において、管理対象の携帯端末３００との通信があったかどうかを示す情報や、管理対象外の携帯端末３００でも認識したものがあったかどうかを示す情報などである。携帯端末３００から送信される情報は、例えば、個々の携帯端末３００において、認証物２００との通信があったかどうかを示す情報などである。
【００１８】
通信システム１００において、認証物２００は、被保護者が日常生活において通過する経路上の地点（通過点）や移動体などに設置され、携帯端末３００（を保持した被保護者）が近傍を通過する際に、携帯端末３００と通信を行う。認証物２００と携帯端末３００との間の通信においては、例えばＢＴが用いられる。認証物２００は、被保護者に関する情報（認証者情報）、認証物２００自身に関する情報（例えば、認証物２００の認証情報や認証物２００が属するグループの認証情報などを含む。認証物２００の認証情報は、例えば、ＢＴアドレスなど、ハードウェアを識別するためのＩＤとパスワードである。また、グループの認証情報は、例えば、グループ認証用のＩＤとパスワードである。）などを用いて、携帯端末３００（を保持した被保護者）を認証する。携帯端末３００は、認証スポットに関する情報（認証スポット情報）、携帯端末３００自身に関する情報（例えば、携帯端末３００のＩＤや緊急連絡先の情報を含む。）などを用いて、認証物２００を認証する。携帯端末３００を認証した認証物２００は、認証者情報を更新し、認証者情報と時刻情報（認証物２００内部の時計又は外部から取得したもの）を用いて、被保護者に異常な事態が起きたか否かを判定し、異常な事態が起きた場合は、その旨を予め指定された連絡先５００へと通知する。この通知は、例えば、サーバ４００を中継して行ってもよいし、専用線を介して行ってもよいし、特定キャリアの携帯電話網を介して行ってもよいし、公衆網６００を介して行ってもよいし、複数の接続方法の組み合わせを用いて行ってもよい。個々の認証物２００は、認証物２００自体に不具合、事故、あるいは電源ＯＦＦイベントが発生した場合に、その旨を通知するためのサーバ装置（サーバ４００と同じであっても全く別なものであってもよい。）を一つ以上登録しておいてもよい。
【００１９】
ここで、認証スポットが公共の交通機関であって、個々の認証物２００のＩＤを登録することが難しいケースについて説明する。例えば、保護者が、被保護者が毎日同じ時刻（又は同じ時間帯）に同じ路線（同じ行き先）の電車やバスに乗っているかどうかを確認する場合にも、通信システム１００を利用することができる。しかし、認証スポットが自家用車やスクールバスではなく、電車や路線バスなどの場合には、同一の車両（物理的な車両（車体）を指す。）が異なる日にも同じスケジュールで運行されているとは限らず（異なる日には同じ時刻の電車であっても、異なる車両で運行されている可能性がある。）、特に電車は複数の車両が連結されており、運行中にも車両の追加、切り離し、交換などが行われる可能性がある。そのため、被保護者が乗るべき車両に設置された個々の認証物２００のＩＤを全て登録することが非常に難しい。そこで、このような場合に、本実施の形態では、同一の運行（同一の路線で、かつ、同一の時刻での運行）の車両を一つのグループとする移動体のグループ認証を用いる。つまり、例えば、異なる日の同じ時刻にスケジュールされた同じ路線の電車の車両に同じグループＩＤが割り当てられた認証物２００を設置し、そのグループＩＤを用いて携帯端末３００との認証を行う。
【００２０】
このとき、交通機関（電車やバスなど）の車両に設置された認証物２００が、さらに、交通機関へのゲートウェイ（検札、改札、又はそれらに相当する機能を有する。以下、ＧＷという。）として働く他の認証物２００（電車が停車する駅の自動改札装置など）を登録しておいてもよい。車両に設置された認証物２００は、登録したＧＷと直接通信を行うか、又はサーバ４００と通信を行うことにより、乗客が保持する携帯端末３００がこのＧＷを通過しているか否かに関する情報を取得し、その乗客が不正な侵入者（例えば、無賃乗車している者）であるかどうか、誤った電車やバスに乗っているかどうかなどについての判定を行うことができる。また、ＧＷを通過し、かつ、誤った車両に乗った乗客がいた場合に、サーバ４００を介してこの乗客が本来乗るべき車両に関する情報を取得し、その情報を通知してもよい。さらに、この乗客が行き先に最も早く到着する方法、最も安く行ける方法、又はその両方に関する情報を取得し、その情報を通知してもよい。車両に設置された認証物２００がＧＷ又はサーバ４００と通信する方法としては、電車の車両の場合、一つの電車の車両全てを車内ＬＡＮで結び、車内ＬＡＮと駅のプラットフォームに設置された通信機器とで無線通信を行う方法や、レールやパンタグラフなどの接触物を介して通信を行う方法や、電力供給用の電線を介して通信を行う方法を用いることができる。バスの車両の場合にも、同様に、バスとバス停に設置された通信機器とで通信を行う方法などを用いることができる。これらの場合、駅やバス停に設置された通信機器は、公衆網６００に接続され、サーバ４００と通信を行う。
【００２１】
車両に設置された認証物２００や、携帯端末３００は、さらに、加速度を計測したり、監視したりする機能を備えていてもよい。これにより、例えば、車両の加速度が所定の加速度以上になった場合に、これを検知し、緊急事態が発生したと判断して、所定の連絡先５００に通知を行ってもよい。
【００２２】
図２は、本実施の形態に係る無線通信装置の構成を示すブロック図である。
【００２３】
認証物２００は、記憶装置２０１、通信部２０２、入力部２０４、連絡部２０６、通過情報生成部２０７、出力部２０９、未通過情報生成部２１２、時刻平均計算部２１３、予定時刻情報更新部２１４、加速度測定部２１６を備える。
【００２４】
記憶装置２０１は、連絡先情報記憶部２０３、未通過情報記憶部２０５、通過情報記憶部２０８、順序情報記憶部２１０、予定時刻情報記憶部２１１、端末識別情報記憶部２１５を備える。
【００２５】
通信部２０２は、この認証物２００が設置されている認証スポットを通過する携帯端末３００と無線通信を行って、携帯端末３００を識別する端末識別情報を携帯端末３００から受信する。また、通信部２０２は、順序情報記憶部２１０に記憶された順序情報（携帯端末３００が複数の認証スポットを通過すべき順序を示す。）に基づいて、携帯端末３００が次に通過すべき認証スポットを識別する物体識別情報を携帯端末３００に送信する。
【００２６】
連絡先情報記憶部２０３は、携帯端末３００に係る情報の連絡先５００として携帯端末３００ごとに指定されたものを示す連絡先情報を、携帯端末３００の端末識別情報に対応付けて記憶する。また、連絡先情報記憶部２０３は、携帯端末３００に係る情報の所定の連絡先５００を示す連絡先情報を記憶する。
【００２７】
入力部２０４は、携帯端末３００が通過すべき他の認証スポット（この認証物２００が設置されている認証スポット以外の認証スポット）を通過していないことを示す未通過情報を、例えば他の認証物２００（特に、他の認証スポットに設置されている認証物２００）やサーバ４００から受信し、受信した未通過情報を入力する（入力部２０４が他の認証物２００から受信する未通過情報は、他の認証物２００の出力部２０９により出力されたものである）。また、入力部２０４は、順序情報を、例えば携帯端末３００やサーバ４００から受信し、受信した順序情報を入力する。また、入力部２０４は、携帯端末３００が認証スポットを通過する前に通過すべき他の認証スポットを携帯端末３００が通過したことを示す通過情報を、例えば他の認証物２００（特に、他の認証スポットに設置されている認証物２００）やサーバ４００から受信し、受信した通過情報を入力する。
【００２８】
未通過情報記憶部２０５は、入力部２０４により入力された未通過情報を、携帯端末３００の端末識別情報に対応付けて記憶する。
【００２９】
連絡部２０６は、通信部２０２により受信された端末識別情報に対応する未通過情報が未通過情報記憶部２０５に記憶されている場合に、端末識別情報に対応する連絡先情報記憶部２０３に記憶された連絡先情報に基づいて、携帯端末３００が認証スポットを通過したことを携帯端末３００ごとに指定された連絡先５００に通知する。また、連絡部２０６は、通信部２０２により受信された端末識別情報が端末識別情報記憶部２１５に記憶されていない場合に、連絡先情報記憶部２０３に記憶された連絡先情報に基づいて、携帯端末３００が認証スポットを通過したことを所定の連絡先５００に通知する。また、認証スポットが移動体であるときは、連絡部２０６は、通信部２０２により受信された端末識別情報が端末識別情報記憶部２１５に記憶されておらず、かつ、加速度測定部２１６により測定された移動体の加速度が所定の加速度以上である場合に、連絡先情報記憶部２０３に記憶された連絡先情報に基づいて、携帯端末３００が認証スポットを通過したことを所定の連絡先５００に通知する。また、連絡部２０６は、通信部２０２により受信された端末識別情報に対応する通過情報（携帯端末３００が認証スポットを通過する前に通過すべき他の認証スポットを携帯端末３００が通過したことを示す通過情報）が通過情報記憶部２０８に記憶されていない場合に、連絡先情報記憶部２０３に記憶された連絡先情報に基づいて、携帯端末３００が認証スポットを通過したことを所定の連絡先５００に通知する。連絡部２０６は、認証スポットの位置情報を保持し、各連絡先５００に情報を通知する際に、位置情報を加えて通知してもよい。
【００３０】
通過情報生成部２０７は、通信部２０２により受信された端末識別情報に対応する未通過情報が未通過情報記憶部２０５に記憶されていない場合に、携帯端末３００が認証スポットを通過したことと当該通過時刻とを示す通過情報を生成する。
【００３１】
通過情報記憶部２０８は、通過情報生成部２０７により生成された通過情報を、端末識別情報に対応付けて記憶する。また、通過情報記憶部２０８は、入力部２０４により入力された通過情報を、端末識別情報に対応付けて記憶する。
【００３２】
出力部２０９は、通過情報記憶部２０８に記憶された通過情報を出力する。また、出力部２０９は、未通過情報生成部２１２により生成された未通過情報を出力する。
【００３３】
順序情報記憶部２１０は、入力部２０４により入力された順序情報を記憶する。
【００３４】
予定時刻情報記憶部２１１は、携帯端末３００が認証スポットを通過すべき予定時刻を示す予定時刻情報を、端末識別情報に対応付けて記憶する。
【００３５】
未通過情報生成部２１２は、予定時刻が過ぎたときに、予定時刻情報記憶部２１１に記憶された予定時刻情報に対応する端末識別情報が通信部２０２により受信されていなかった場合に、未通過情報を生成する。
【００３６】
時刻平均計算部２１３は、携帯端末３００が認証スポットを複数回通過したときの当該通過時刻の平均を計算する。
【００３７】
予定時刻情報更新部２１４は、予定時刻を時刻平均計算部２１３により計算された時刻の平均に変更して、予定時刻情報記憶部２１１に記憶された予定時刻情報を更新する。
【００３８】
端末識別情報記憶部２１５は、端末識別情報を予め記憶する。
【００３９】
加速度測定部２１６は、この認証物２００が設置されている移動体の加速度を測定する。
【００４０】
図３は、本実施の形態に係る移動端末装置の構成を示すブロック図である。
【００４１】
携帯端末３００は、記憶装置３０１、通信部３０２、連絡部３０５、通過情報生成部３０６、出力部３０８、比較部３１０、判定部３１３を備える。
【００４２】
記憶装置３０１は、物体識別情報記憶部３０３、連絡先情報記憶部３０４、通過情報記憶部３０７、順序情報記憶部３０９、属性情報記憶部３１１、関連物体情報記憶部３１２を備える。
【００４３】
通信部３０２は、認証物２００と無線通信を行って、その認証物２００が設置されている認証スポットを識別する物体識別情報（認証物２００を識別するものでもよいが、ここでは同じものとして説明する。）を認証物２００から受信する。
【００４４】
物体識別情報記憶部３０３は、物体識別情報を予め記憶する。
【００４５】
連絡先情報記憶部３０４は、携帯端末３００に係る情報の連絡先５００として携帯端末３００ごとに指定されたもの（所定の連絡先５００）を示す連絡先情報を記憶する。
【００４６】
連絡部３０５は、通信部３０２により受信された物体識別情報が物体識別情報記憶部３０３に記憶されていない場合に、連絡先情報記憶部３０４に記憶された連絡先情報に基づいて、認証スポットを通過したことを所定の連絡先５００に通知する。また、連絡部３０５は、携帯端末３００が次に通過すべき認証スポットの物体識別情報と通信部３０２により受信された物体識別情報とが異なると比較部３１０により判断された場合に、連絡先情報記憶部３０４に記憶された連絡先情報に基づいて、認証スポットを通過したことを所定の連絡先５００に通知する。
【００４７】
通過情報生成部３０６は、通信部３０２により受信された物体識別情報が物体識別情報記憶部３０３に記憶されている場合に、携帯端末３００が認証スポットを通過したことと当該通過時刻とを示す通過情報を生成する。
【００４８】
通過情報記憶部３０７は、通過情報生成部３０６により生成された通過情報を、物体識別情報に対応付けて記憶する。
【００４９】
出力部３０８は、通過情報記憶部３０７に記憶された通過情報を出力する。また、出力部３０８は、判定部３１３により認証スポットが他の認証スポットを通過する前に通過すべき認証スポットであると判定された場合に、認証スポットの物体識別情報に対応する関連物体情報記憶部３１２に記憶された他の認証スポットの物体識別情報を出力する。
【００５０】
順序情報記憶部３０９は、携帯端末３００が複数の認証スポットを通過すべき順序を示す順序情報を記憶する。
【００５１】
比較部３１０は、順序情報記憶部３０９に記憶された順序情報に基づいて、携帯端末３００が次に通過すべき認証スポットの物体識別情報と通信部３０２により受信された物体識別情報とを比較する。
【００５２】
属性情報記憶部３１１は、認証スポットが、携帯端末３００が他の認証スポットを通過する前に通過すべき認証スポットであるかどうかを示す属性情報を、物体識別情報に対応付けて記憶する。
【００５３】
関連物体情報記憶部３１２は、他の認証スポットの物体識別情報を、認証スポットの物体識別情報に対応付けて記憶する。
【００５４】
判定部３１３は、通信部３０２により受信された物体識別情報に対応する属性情報記憶部３１１に記憶された属性情報に基づいて、認証スポットが他の認証スポットを通過する前に通過すべき認証スポットであるかどうかを判定する。
【００５５】
図４は、本実施の形態に係るサーバ装置の構成を示すブロック図である。
【００５６】
サーバ４００は、記憶装置４０１、受信部４０２、通過情報生成部４０３、送信部４０４を備える。
【００５７】
記憶装置４０１は、認証物２００と携帯端末３００を登録し、認証物２００と携帯端末３００から送信される情報を管理する。
【００５８】
受信部４０２は、携帯端末３００により出力された物体識別情報を携帯端末３００から受信する。
【００５９】
通過情報生成部４０３は、受信部４０２により受信された物体識別情報に基づいて、認証スポットを携帯端末３００が通過したことを示す通過情報を生成する。
【００６０】
送信部４０４は、通過情報生成部４０３により生成された通過情報を認証物２００に送信する。
【００６１】
図５は、本実施の形態に係る無線通信装置が管理する情報の一例を示す図である。
【００６２】
図５に例示した情報は、認証物２００により管理されるもので、前述した認証者情報に相当する。この例において、認証者情報は、複数の被保護者に関する情報を含む。
【００６３】
図５において、「被保護者ＩＤ」は端末識別情報７０１の一例であり、個々の被保護者（携帯端末３００）を識別する。「通常予定時刻１」、「通常予定時刻２」は予定時刻情報７０６の一例であり、被保護者が通常時にこの認証物２００が設置された認証スポットを通過する時刻である。この例では「通常予定時刻１」、「通常予定時刻２」と２つの予定時刻（例えば被保護者が認証スポットを往路と復路とで通過する場合）を示しているが、これに限らない。予定時刻情報７０６は予定時刻を１つのみ示す情報であってもよいし、３つ以上示す情報であってもよい。ここで、予定時刻とは、具体的には例えば認証物２００による携帯端末３００の認証が完了する時刻である。認証方法としては、例えば「被保護者ＩＤ」として携帯端末３００のＢＴアドレスを登録しておき、これを照合する方法が利用可能である。「被保護者ＩＤ」としては、このほか、認証の方法に応じてＩＰアドレスなど一意に識別可能な情報であれば何を用いても構わない。
【００６４】
「誤差範囲」は、予定時刻と被保護者が認証スポットを実際に通過する時刻との誤差をどの程度許容するかを示す情報である。「平均値１」、「平均値２」は通過時刻の平均７０７の一例であり、被保護者が過去に認証スポットを通過した時刻の平均である。この例では、「平均値１」は「通常予定時刻１」に対応し、「平均値２」は「通常予定時刻２」に対応する。認証物２００は、例えば、時刻の平均を毎日更新し、更新した時刻を基に予定時刻を修正してもよい。この修正は、サーバ４００により行われてもよい。「連絡先」は連絡先情報７０２の一例であり、例えば保護者の電話番号、ＦＡＸ番号、電子メールアドレスなどである。
【００６５】
図６は、本実施の形態に係る無線通信装置が記録する情報の一例を示す図である。
【００６６】
図６に例示した情報は、認証物２００により記録されるもので、個々の認証物２００において、管理対象の携帯端末３００との通信があったかどうかを示す情報や、管理対象外の携帯端末３００でも認識したものがあったかどうかを示す情報などに相当する。
【００６７】
図６において、「管理携帯端末」は管理対象の携帯端末３００との通信があったかどうかを示す情報である。携帯端末３００の被保護者ＩＤが予め記憶されていれば、その携帯端末３００は管理対象であるとみなされる。前述の通り、「被保護者ＩＤ」は端末識別情報７０１の一例である。「確認状態」及び「確認時刻」は通過情報７０３の一例であり、認証物２００が個々の携帯端末３００をすでに認証（確認）したかどうかを「確認済」又は「未確認」と表し、携帯端末３００が認証スポットを通過する予定時刻が経過しているかどうかを「時刻前」又は「超過」と表し、「確認済」の携帯端末３００についてはその「確認時刻」を示している。
【００６８】
「管理外認識端末」は管理対象外の携帯端末３００でも認識したものがあったかどうかを示す情報である。前述の通り、「被保護者ＩＤ」は端末識別情報７０１の一例であり、「確認時刻」は通過情報７０３の一例である。
【００６９】
図７は、本実施の形態に係る移動端末装置が管理する情報の一例を示す図である。
【００７０】
図７に例示した情報は、携帯端末３００により管理されるもので、前述した認証スポット情報に相当する。
【００７１】
図７において、「スポットＩＤ又はグループＩＤ」は物体識別情報７０５の一例であり、認証物２００又は認証物２００が属するグループを特定する。「関連グループ認証スポット」は関連物体情報７０９の一例であり、携帯端末３００が「スポットＩＤ又はグループＩＤ」により特定される認証スポットの次に通過すべき認証スポットのスポットＩＤ又はグループＩＤを示す。「属性」は属性情報７０８の一例であり、認証物２００の属性の種別を示す。「通信状況」は「通過順序」と「状況」をそれぞれ２つずつ含む。「通過順序」は順序情報７０４の一例であり、例えば１日の中で被保護者がその認証スポットを通過する順序を示す。「状況」は通過情報７０３の一例であり、その日に被保護者がその認証スポットをすでに通過したかどうかを示す。この例では「通過順序」と「状況」をそれぞれ２つ（例えば被保護者が認証スポットを往路と復路とで通過する場合）示しているが、これに限らない。「通信状況」は「通過順序」と「状況」をそれぞれ１つのみ含む情報であってもよいし、３つ以上含む情報であってもよい。
【００７２】
携帯端末３００は、上記に加えて、各認証スポットの位置情報を管理してもよい。また、携帯端末３００は、上記に加えて、各認証スポットを通過する予定時刻を管理してもよい。
【００７３】
図８は、本実施の形態における属性情報の一例を示す図である。
【００７４】
図８において、「属性番号」は図７に示した「属性」に対応する。「属性内容」は属性情報７０８の一例であり、認証スポットの種別（特性）を示す。「属性内容」は、例えば認証スポットが、携帯端末３００が他の認証スポットを通過する前に通過すべき認証スポット（ゲートウェイ）であるのか、移動体であるのか、その他のスポットであるのかを示し、ゲートウェイであればそれが門なのか、駅の改札口なのか、エレベータの出入口なのか、移動体であればそれが車両なのか、エレベータなのかを示す。
【００７５】
「グループ認証」は認証スポットに設置される認証物２００の認証情報を「属性内容」ごとに共通して定めた情報であり、ＩＤとパスワードを含む。前述したグループの認証情報にこの情報を適用してもよいし、その他にグループＩＤとグループごとのパスワードを設定してもよい。
【００７６】
図９は、本実施の形態に係る移動端末装置が記録する情報の一例を示す図である。
【００７７】
図９に例示した情報は、携帯端末３００により記録されるもので、個々の携帯端末３００において、認証物２００との通信があったかどうかを示す情報などに相当する。
【００７８】
図９において、「登録スポット」は予め登録された認証スポットに設置された認証物２００との通信があったかどうかを示す情報である。認証物２００（認証スポット）のスポットＩＤ又はグループＩＤが予め記憶されていれば、その認証物２００は登録されているとみなされる。前述の通り、「スポットＩＤ又はグループＩＤ」は物体識別情報７０５の一例である。「認証状態」及び「確認時刻」は通過情報７０３の一例であり、携帯端末３００が個々の認証物２００をすでに認証（確認）したかどうかを「認証済」又は「未認証」と表し、携帯端末３００が認証スポットを通過する予定時刻が経過しているかどうかを「時刻前」又は「超過」と表し、「認証済」の認証物２００についてはその「確認時刻」を示している。
【００７９】
「未登録認証スポット」は未登録の認証物２００でも認識したものがあったかどうかを示す情報である。前述の通り、「スポットＩＤ又はグループＩＤ」は物体識別情報７０５の一例であり、「確認時刻」は通過情報７０３の一例である。
【００８０】
図１０は、本実施の形態に係るサーバ装置が記録する情報の一例を示す図である。
【００８１】
図１０に例示した情報は、サーバ４００により記録されるもので、個々の認証物２００や携帯端末３００からの受信情報を示す。
【００８２】
図１０において、「スポットＩＤ又は被保護者ＩＤ」（ここで、スポットＩＤはグループＩＤを含むものとする。）は端末識別情報７０１、物体識別情報７０５の一例である。「管理物種別」はそれぞれの受信情報が認証物２００（認証スポット）から送信されたものなのか、携帯端末３００から送信されたものなのかを示す。「受信情報ＩＤ」はそれぞれの受信情報を特定するＩＤである。
【００８３】
図１１は、本実施の形態に係るサーバ装置が無線通信装置から受信する情報の一例を示す図である。
【００８４】
図１１に例示した情報は、サーバ４００が認証物２００から受信するものであり、図６に示した認証物２００により記録される情報と同様である。この例では、受信情報が、携帯端末３００が各認証物２００を通過する順にソートされているものとする。即ち、図１１に例示した情報は順序情報７０４の一例である。
【００８５】
図１２は、本実施の形態に係るサーバ装置が移動端末装置から受信する情報の一例を示す図である。
【００８６】
図１２に例示した情報は、サーバ４００が携帯端末３００から受信するものであり、図９に示した携帯端末３００により記録される情報と同様である。この例では、受信情報が、携帯端末３００が各認証物２００を通過する順にソートされているものとする。即ち、図１２に例示した情報は順序情報７０４の一例である。
【００８７】
図１３は、本実施の形態に係る無線通信装置の動作を示すフロー図である。ここで、図１３において、無線通信装置は携帯端末３００が通過すべき認証スポットＡに設置された認証物２００であるとする。
【００８８】
認証スポットＡに設置された認証物２００において、予定時刻情報記憶部２１１は、予定時刻を携帯端末３００の被保護者ＩＤ（端末識別情報７０１の一例）に対応付けて記憶する（ステップＳ２０１：予定時刻情報記憶ステップ（処理））。未通過情報生成部２１２は、予定時刻が過ぎたときに（ステップＳ２０２において「ＹＥＳ」）、予定時刻情報記憶部２１１に記憶された予定時刻情報７０６に対応する被保護者ＩＤが通信部２０２により受信されていなかった場合に（ステップＳ２０３において「ＮＯ」）、携帯端末３００が認証スポットＡをまだ通過していないことを示す未通過情報を生成する（ステップＳ２０４）（ステップＳ２０２〜Ｓ２０４：未通過情報生成ステップ（処理））。出力部２０９は、未通過情報生成部２１２により生成された未通過情報を認証スポットＢに設置された認証物２００に送信する（ステップＳ２０５：出力ステップ（処理））。
【００８９】
図１４は、本実施の形態に係る無線通信装置の動作を示すフロー図である。ここで、図１４において、無線通信装置は上記認証スポットＡとは異なる認証スポットＢに設置された認証物２００であるとする。
【００９０】
認証スポットＢに設置された認証物２００において、入力部２０４は、携帯端末３００が認証スポットＡをまだ通過していないことを示す未通過情報を、認証スポットＡに設置された認証物２００から受信する（ステップＳ２０６：入力ステップ（処理））。未通過情報記憶部２０５は、入力部２０４により入力された未通過情報を、携帯端末３００の被保護者ＩＤに対応付けて記憶する（ステップＳ２０７：未通過情報記憶ステップ（処理））。連絡先情報記憶部２０３は、携帯端末３００の連絡先５００を、携帯端末３００の被保護者ＩＤに対応付けて記憶する（ステップＳ２０８：連絡先情報記憶ステップ（処理））。
【００９１】
図１５は、本実施の形態に係る無線通信装置の動作を示すフロー図である。ここで、図１５において、無線通信装置は認証スポットＢに設置された認証物２００であり、携帯端末３００が認証スポットＢを通過したものとする。
【００９２】
認証スポットＢに設置された認証物２００において、通信部２０２は、携帯端末３００と無線通信を行って、携帯端末３００の被保護者ＩＤを携帯端末３００から受信する（ステップＳ２０９：通信ステップ（処理））。連絡部２０６は、通信部２０２により受信された被保護者ＩＤに対応する未通過情報が未通過情報記憶部２０５に記憶されている場合に（ステップＳ２１０において「ＹＥＳ」）、携帯端末３００の被保護者ＩＤに対応する連絡先情報記憶部２０３に記憶された連絡先情報７０２に基づいて、携帯端末３００（行方不明の携帯端末であるとみなされる。）が認証スポットＢを通過したことを携帯端末３００の連絡先５００に通知する（ステップＳ２１１：連絡ステップ（処理））。
【００９３】
通過情報生成部２０７は、通信部２０２により受信された被保護者ＩＤに対応する未通過情報が未通過情報記憶部２０５に記憶されていない場合に（ステップＳ２１０において「ＮＯ」）、携帯端末３００が認証スポットＢを通過したことと当該通過時刻とを示す通過情報７０３を生成する（ステップＳ２１２：通過情報生成ステップ（処理））。通過情報記憶部２０８は、通過情報生成部２０７により生成された通過情報７０３を、携帯端末３００の被保護者ＩＤに対応付けて記憶する（ステップＳ２１３：通過情報記憶ステップ（処理））。出力部２０９は、通過情報記憶部２０８に記憶された通過情報７０３をサーバ４００に送信する（ステップＳ２１４：出力ステップ（処理））。
【００９４】
図１６は、本実施の形態に係る無線通信装置の動作を示すフロー図である。ここで、図１６において、無線通信装置は携帯端末３００がすでに通過した認証スポットＢに設置された認証物２００であるとする。
【００９５】
認証スポットＢに設置された認証物２００において、時刻平均計算部２１３は、携帯端末３００が認証スポットＢを今までに通過したときの当該通過時刻の平均７０７を計算する（ステップＳ２１５：時刻平均計算ステップ（処理））。予定時刻情報更新部２１４は、予定時刻を時刻平均計算部２１３により計算された時刻の平均に変更することにより、予定時刻情報記憶部２１１に記憶された予定時刻情報７０６を更新する（ステップＳ２１６：予定時刻情報更新ステップ（処理））。
【００９６】
図１７は、本実施の形態に係る無線通信装置の動作を示すフロー図である。ここで、図１７において、無線通信装置は認証スポットＢに設置された認証物２００であり、携帯端末３００が認証スポットＢを通過したものとする。
【００９７】
認証スポットＢに設置された認証物２００において、連絡先情報記憶部２０３は、所定の連絡先５００を記憶する（ステップＳ２１７：連絡先情報記憶ステップ（処理））。通信部２０２は、携帯端末３００と無線通信を行って、携帯端末３００の被保護者ＩＤを携帯端末３００から受信する（ステップＳ２１８：通信ステップ（処理））。連絡部２０６は、通信部２０２により受信された被保護者ＩＤが端末識別情報記憶部２１５に記憶されていない場合に（ステップＳ２１９において「ＮＯ」）、連絡先情報記憶部２０３に記憶された連絡先情報７０２に基づいて、携帯端末３００（不審な携帯端末であるとみなされる。）が認証スポットＢを通過したことを所定の連絡先５００に通知する（ステップＳ２２０）（ステップＳ２１９、Ｓ２２０：連絡ステップ（処理））。
【００９８】
図１８は、本実施の形態に係る無線通信装置の動作を示すフロー図である。ここで、図１８において、無線通信装置は認証スポットＢに設置された認証物２００であり、携帯端末３００が認証スポットＢを通過したものとする。
【００９９】
認証スポットＢに設置された認証物２００において、入力部２０４は、携帯端末３００の順序情報７０４を入力する（ステップＳ２２１：入力ステップ（処理））。順序情報記憶部２１０は、入力部２０４により入力された順序情報７０４を記憶する（ステップＳ２２２：順序情報記憶ステップ（処理））。通信部２０２は、順序情報記憶部２１０に記憶された順序情報７０４に基づいて、携帯端末３００が認証スポットＢの次に通過すべき認証スポットのスポットＩＤ（物体識別情報７０５の一例）を携帯端末３００に送信する（ステップＳ２２３：通信ステップ（処理））。
【０１００】
図１９は、本実施の形態に係る無線通信装置の動作を示すフロー図である。ここで、図１９において、無線通信装置は電車の車両（移動体の一例）に設置された認証物２００であるとする。
【０１０１】
電車の車両に設置された認証物２００において、連絡先情報記憶部２０３は、所定の連絡先５００を記憶する（ステップＳ２２４：連絡先情報記憶ステップ（処理））。入力部２０４は、携帯端末３００の利用者が電車の車両に乗る前に通過すべき改札口を携帯端末３００が通過したことを示す通過情報７０３をサーバ４００から受信する（ステップＳ２２５：入力ステップ（処理））。通過情報記憶部２０８は、入力部２０４により入力された通過情報７０３を、携帯端末３００の被保護者ＩＤに対応付けて記憶する（ステップＳ２２６：通過情報記憶ステップ（処理））。
【０１０２】
図２０は、本実施の形態に係る無線通信装置の動作を示すフロー図である。ここで、図２０において、無線通信装置は電車の車両に設置された認証物２００であり、携帯端末３００の利用者が電車の車両に乗ってきたものとする。
【０１０３】
電車の車両に設置された認証物２００において、通信部２０２は、携帯端末３００と無線通信を行って、携帯端末３００の被保護者ＩＤを携帯端末３００から受信する（ステップＳ２２７：通信ステップ（処理））。連絡部２０６は、通信部２０２により受信された被保護者ＩＤに対応する通過情報７０３（携帯端末３００の利用者が電車の車両に乗る前に通過すべき改札口を携帯端末３００が通過したことを示す通過情報７０３）が通過情報記憶部２０８に記憶されていない場合に（ステップＳ２２８において「ＮＯ」）、連絡先情報記憶部２０３に記憶された連絡先情報７０２に基づいて、不審者が電車に乗ったことを所定の連絡先５００に通知する（ステップＳ２２９）（ステップＳ２２８、Ｓ２２９：連絡ステップ（処理））。
【０１０４】
図２１は、本実施の形態に係る無線通信装置の動作を示すフロー図である。ここで、図２１において、無線通信装置は電車の車両に設置された認証物２００であり、携帯端末３００の利用者が電車の車両に乗ってきたものとする。
【０１０５】
電車の車両に設置された認証物２００において、連絡先情報記憶部２０３は、所定の連絡先５００を記憶する（ステップＳ２３０：連絡先情報記憶ステップ（処理））。通信部２０２は、携帯端末３００と無線通信を行って、携帯端末３００の被保護者ＩＤを携帯端末３００から受信する（ステップＳ２３１：通信ステップ（処理））。加速度測定部２１６は、電車の車両の加速度を測定する（ステップＳ２３２：加速度測定ステップ（処理））。連絡部２０６は、通信部２０２により受信された被保護者ＩＤが端末識別情報記憶部２１５に記憶されておらず（ステップＳ２３３において「ＮＯ」）、かつ、加速度測定部２１６により測定された移動体の加速度が所定の加速度以上である場合に（ステップＳ２３４において「ＹＥＳ」）、連絡先情報記憶部２０３に記憶された連絡先情報７０２に基づいて、不審者が電車に乗ったことを所定の連絡先５００に通知する（ステップＳ２３５）（ステップＳ２３３〜Ｓ２３５：連絡ステップ（処理））。
【０１０６】
図２２は、本実施の形態に係る無線通信装置の動作を示すフロー図である。
【０１０７】
図２２は、認証物２００の動作の具体例を示すものである。認証物２００は、電源が投入される（ＯＮになる）と、接続要求の有無を調べるＩｎｑｕｉｒｙＳｃａｎループを開始する（ステップＳ２３６）。ＩｎｑｕｉｒｙＳｃａｎループは電源が切断される（ＯＦＦになる）まで繰り返される。
【０１０８】
ＩｎｑｕｉｒｙＳｃａｎが開始されると、まず、認証物２００の通信部２０２は、携帯端末３００からＩｎｑｕｉｒｙパケットを受信したか否かを判定する（ステップＳ２３７）。これは例えば、ＢＴのＦＨＳ（Ｆｒｅｑｕｅｎｃｙ  Ｈｏｐ  Ｓｙｎｃｈｒｏｎｉｚａｔｉｏｎ）パケットを用いたＩｎｑｕｉｒｙＳｃａｎにより実装可能である。この場合、ステップＳ２３７の判定はＢＴのレイヤで行い、これ以降の処理は、ＢＴのレイヤからＩｎｑｕｉｒｙパケット受信情報を受け取ったアプリケーションで行う。
【０１０９】
ステップＳ２３７において携帯端末３００からＩｎｑｕｉｒｙパケットを受信したと判定された場合、認証物２００の連絡部２０６は、その携帯端末３００が自管理のものかどうかの判定を行う（ステップＳ２３８）。このとき、受信したＩｎｑｕｉｒｙパケット（Ｉｎｑｕｉｒｙパケットのデータ部あるいはヘッダ部）より、ＢＴアドレス（被保護者ＩＤの一例）を取り出し、取り出したアドレスが、例えば図５に示した認証者情報として登録されているか否かを判定する。アドレスが登録されている場合は、その携帯端末３００は自管理のものだと判定する。
【０１１０】
ステップＳ２３８において携帯端末３００が自管理のものであると判定された場合、認証物２００の連絡部２０６は、認証物２００内の認証処理を行う（ステップＳ２３９）。認証物２００内の認証処理においては、ステップＳ２３８で取得されたアドレスと他の認証物２００から予定時刻に通過していないことを通知されているアドレスとを比較することにより、携帯端末３００を保持する被保護者が行方不明の被保護者であるか否かを判定する。携帯端末３００を保持する被保護者が行方不明の被保護者であった場合、行方不明の被保護者を発見したことを所定の連絡先５００に通知する。このとき、認証物２００の連絡部２０６からはサーバ４００に通知し、サーバ４００から所定の連絡先５００へ通知してもよい。一方、携帯端末３００を保持する被保護者が行方不明の被保護者でなかった場合、例えば図６に示した情報として記録し、ステップＳ２４０へと移行する。
【０１１１】
一方、ステップＳ２３８において携帯端末３００が自管理のものではないと判定された場合、認証物２００の連絡部２０６は、その携帯端末３００を不審端末として通知するか否かを判定する（ステップＳ２４４）。この判定は、例えば管理対象外の携帯端末３００を認識したときにその旨を通知するかどうかを示すフラグにより行う。このフラグがＯＦＦだった場合は、ステップＳ２３６に戻って再度ＩｎｑｕｉｒｙＳｃａｎループを開始する。フラグがＯＮだった場合には、所定の連絡先５００に不審端末を認識したことを通知する（ステップＳ２４５）。この際、認証物２００が設置された認証スポットが公共の交通機関である場合、例えば、チケットを全て電子チケット（携帯端末３００の一例）とし、認証物２００の記憶装置２０１は、交通機関へのＧＷとして働く他の認証物２００を登録しておいてもよい。これにより、交通機関に設置された認証物２００の入力部２０４は、登録したＧＷと直接通信を行うか、又はサーバ４００と通信を行うことにより、乗客がこのＧＷを通過しているか否かに関する情報を取得し、その乗客が不正な侵入者であるかどうか、誤った電車やバスに乗っているかどうかなどについての判定を行うことができる。認証物２００の連絡部２０６は、さらに、加速度測定部２１６の加速度計を用いて交通機関の加速度が一定の加速度以上であるか（例えば、電車の場合はすでに発車しているかどうか）を判定することにより、不正な侵入者が本当に不正な侵入をしているかどうかを判定できる。乗客が不正な侵入者であると判定された場合、認証物２００の連絡部２０６は、その旨を所定の連絡先５００に連絡を行う。さらに、ＧＷを通過したにもかかわらず、誤った交通機関に乗った乗客に対し、この乗客が乗るべき交通機関の情報をサーバ４００から取得し、その情報を通知してもよい。
【０１１２】
ＩｎｑｕｉｒｙＳｃａｎループの最後に、認証物２００の連絡部２０６は、電源を切断するか否か（電源ＯＦＦのイベントが来ているか否か）の判定を行う（ステップＳ２４０）。電源ＯＦＦのイベントが来ていない場合は、ステップＳ２３６に戻って（ステップＳ２４１）、再度ＩｎｑｕｉｒｙＳｃａｎループを開始する。電源ＯＦＦのイベントが来ていた場合には、その旨を所定の連絡先５００（サーバ４００でもよい。）へ通知し（ステップＳ２４２）、電源を切断する（ステップＳ２４３）。
【０１１３】
ステップＳ２３７において携帯端末３００からＩｎｑｕｉｒｙパケットを受信していないと判定された場合、認証物２００の未通過情報生成部２１２は、予定時刻を過ぎてもまだ認証スポットを通過していない携帯端末３００があるかどうかを判定する（ステップＳ２４６）。予定時刻を過ぎてもまだ認証スポットを通過していない携帯端末３００がある場合、認証物２００の連絡部２０６は、その旨（未通過情報生成部２１２が未通過情報を生成する。）を所定の連絡先５００に通知し（同時に、認証物２００の出力部２０９などが他の認証物２００やサーバ４００に通知する。）（ステップＳ２４７）、図５に示した認証者情報を更新する（ステップＳ２４８）。その後は、ステップＳ２３６に戻って再度ＩｎｑｕｉｒｙＳｃａｎループが開始される。
【０１１４】
図２３は、本実施の形態に係る移動端末装置の動作を示すフロー図である。
【０１１５】
携帯端末３００において、連絡先情報記憶部３０４は、所定の連絡先５００を記憶する（ステップＳ３０１：連絡先情報記憶ステップ（処理））。通信部３０２は、認証物２００と無線通信を行って、その認証物２００が設置されている認証スポットのスポットＩＤを認証物２００から受信する（ステップＳ３０２：通信ステップ（処理））。連絡部３０５は、通信部３０２により受信されたスポットＩＤが物体識別情報記憶部３０３に記憶されていない場合に（ステップＳ３０３において「ＮＯ」）、連絡先情報記憶部３０４に記憶された連絡先情報７０２に基づいて、認証スポットを通過したことを所定の連絡先５００に通知する（ステップＳ３０４：連絡ステップ（処理））。
【０１１６】
通過情報生成部３０６は、通信部３０２により受信されたスポットＩＤが物体識別情報記憶部３０３に記憶されている場合に（ステップＳ３０３において「ＹＥＳ」）、携帯端末３００が認証スポットを通過したことと当該通過時刻とを示す通過情報７０３を生成する（ステップＳ３０５：通過情報生成ステップ（処理））。通過情報記憶部３０７は、通過情報生成部３０６により生成された通過情報７０３を、認証物２００のスポットＩＤに対応付けて記憶する（ステップＳ３０６：通過情報記憶ステップ（処理））。出力部３０８は、通過情報記憶部３０７に記憶された通過情報７０３をサーバ４００に送信する（ステップＳ３０７：出力ステップ（処理））。
【０１１７】
図２４は、本実施の形態に係る移動端末装置の動作を示すフロー図である。
【０１１８】
順序情報記憶部３０９は、携帯端末３００の順序情報７０４を記憶する（ステップＳ３０８：順序情報記憶ステップ（処理））。比較部３１０は、順序情報記憶部３０９に記憶された順序情報７０４に基づいて、携帯端末３００が次に通過すべき認証スポットのスポットＩＤと通信部３０２により受信されたスポットＩＤとを比較する（ステップＳ３０９：比較ステップ（処理））。連絡部３０５は、携帯端末３００が次に通過すべき認証スポットのスポットＩＤと通信部３０２により受信されたスポットＩＤとが異なると比較部３１０により判断された場合に（ステップＳ３０９において「ＮＯ」）、連絡先情報記憶部３０４に記憶された連絡先情報７０２に基づいて、誤った認証スポットを通過したことを所定の連絡先５００に通知する（ステップＳ３１０：連絡ステップ（処理））。
【０１１９】
図２５は、本実施の形態に係る移動端末装置の動作を示すフロー図である。
【０１２０】
属性情報記憶部３１１は、自動改札装置（ゲートウェイの一例）の属性情報７０８を、自動改札装置のスポットＩＤ（グループＩＤでもよい。）に対応付けて記憶する（ステップＳ３１１：属性情報記憶ステップ（処理））。関連物体情報記憶部３１２は、電車の車両のグループＩＤ（物体識別情報７０５の一例）を、自動改札装置のスポットＩＤに対応付けて記憶する（ステップＳ３１２：関連物体情報記憶ステップ（処理））。通信部３０２は、認証物２００と無線通信を行って、その認証物２００が設置されている認証スポットのスポットＩＤを認証物２００から受信する（ステップＳ３１３：通信ステップ（処理））。判定部３１３は、通信部３０２により受信されたスポットＩＤに対応する属性情報記憶部３１１に記憶された属性情報７０８に基づいて（ステップＳ３１４）、認証スポットが自動改札装置（駅の改札口）であるかどうかを判定する（ステップＳ３１５）（ステップＳ３１４、Ｓ３１５：判定ステップ（処理））。出力部３０８は、判定部３１３により認証スポットが駅の改札口であると判定された場合に（ステップＳ３１５において「ＹＥＳ」）、自動改札装置のスポットＩＤに対応する関連物体情報記憶部３１２に記憶された電車の車両のグループＩＤをサーバ４００に送信する（ステップＳ３１６：出力ステップ（処理））。
【０１２１】
図２６は、本実施の形態に係る移動端末装置の動作を示すフロー図である。
【０１２２】
図２６は、携帯端末３００の動作の具体例を示すものである。携帯端末３００は、電源が投入される（ＯＮになる）と、Ｉｎｑｕｉｒｙ（ここではＢＴを用いた方法を例に説明する。このＩｎｑｕｉｒｙはＢＴの通常のＩｎｑｕｉｒｙ動作と同様である。）ループを開始する（ステップＳ３１７）。Ｉｎｑｕｉｒｙループが開始されると、携帯端末３００の通信部３０２は、まず、Ｉｎｑｕｉｒｙ応答を受信したか否かの判定を行う（ステップＳ３１８）。Ｉｎｑｕｉｒｙ応答を受信していないと判定された場合、ステップＳ３１７に戻って再度Ｉｎｑｕｉｒｙループを開始する。一方、ステップＳ３１８においてＩｎｑｕｉｒｙ応答を受信したと判定された場合、携帯端末３００は、携帯端末３００内の認証処理を行う。この認証処理の詳細については後で図２７に示す。携帯端末３００内の認証処理が終了した後、携帯端末３００の連絡部３０５は、緊急事態（事故、事件、故障、衝撃、異常な加速度、異常な電源ＯＦＦイベントなど）が発生したか否かの判定を行う（ステップＳ３２０）。この判定は、例えば緊急事態の発生を示すフラグ（緊急事態フラグ）により行う。
【０１２３】
ステップＳ３２０において緊急事態であると判定された場合、携帯端末３００の連絡部３０５は、その旨を所定の連絡先５００（サーバ４００でもよい。）へ通知する（ステップＳ３２１）。このとき、通知するデータとともに、例えば図７に示した認証スポット情報を送付してもよい。
【０１２４】
一方、ステップＳ３２０において緊急事態ではないと判定された場合、あるいはステップＳ３２１において所定の連絡先５００に緊急事態であることを通知した後、携帯端末３００の連絡部３０５は、正常な電源ＯＦＦイベントが来たか否かを判定する（ステップＳ３２２）。電源ＯＦＦイベントが来ていない場合は、ステップＳ３１７に戻って（ステップＳ３２３）、再度Ｉｎｑｕｉｒｙループを開始する。電源ＯＦＦイベントが来ていた場合には、携帯端末３００の連絡部３０５は、その旨を所定の連絡先５００（サーバ４００でもよい。）へ通知する。このとき、通知するデータとともに、例えば図７に示した認証スポット情報を送付してもよい。
【０１２５】
図２７は、本実施の形態に係る移動端末装置の動作を示すフロー図である。
【０１２６】
図２７は、図２６に示した携帯端末３００内の認証処理の詳細を示すものである。処理が開始すると、携帯端末３００の通信部３０２は、ステップＳ３２６にて、図２６のステップＳ３１８にて受信したパケットに含まれるスポットＩＤ（又はグループＩＤ）が、図７に示した認証スポット情報として登録済のスポットＩＤであるか否かの判定を行う。ステップＳ３２６にて登録済であると判定された場合、ステップＳ３２７に進む。携帯端末３００の通信部３０２又は連絡部３０５は、ステップＳ３２７においては、認証物２００との間で認証処理を行う。この認証処理においては、この例ではＢＴの認証処理に従うものとする。
【０１２７】
ステップＳ３２７終了後、携帯端末３００の判定部３１３は、ステップＳ３２８にて、認証の相手である認証物２００がＧＷであるか否かの判定を行う。この判定においては、図７に例示する認証スポット情報に含まれる属性番号を、図８に例示する属性情報の属性番号の中から探索し、該当する属性内容によってＧＷであるか否か判定を行う。
【０１２８】
ステップＳ３２８にて、認証の相手である認証物２００がＧＷであると判定された場合、携帯端末３００の判定部３１３は、ステップＳ３２９にて関連グループ認証スポットがあるか否かの判定を行う。この判定処理においては、図７に例示する認証スポット情報にそのＧＷに対応する関連グループ認証スポットが設定されているかどうかによって判定を行う。ステップＳ３２９にて関連グループ認証スポットがあると判定された場合は、携帯端末３００の出力部３０８は、ステップＳ３３０にて図７に例示する認証スポット情報の関連グループ認証スポットとして設定された認証物２００に対し、現在認証処理を行っている認証物２００が認証済であるという情報を通知し、処理を終了する。
【０１２９】
ステップＳ３２８にて、認証の相手である認証物２００がＧＷではないと判定された場合、及びステップＳ３２９にて関連グループ認証スポットがないと判定された場合は、そのまま処理を終了する。
【０１３０】
一方、ステップＳ３２６にて登録済ではないと判定された場合、携帯端末３００の連絡部３０５は、ステップＳ３３１にてグループ認証するか否かの判定を行う。ステップＳ３３１のグループ認証をするか否かの判定においては、図７に例示する認証スポット情報に含まれる属性番号を、図８に例示する属性情報の属性番号の中から探索し、該当する属性内容の有無によって判定を行う。
【０１３１】
ステップＳ３３１においてグループ認証を行うと判定された場合、携帯端末３００の連絡部３０５は、ステップＳ３３２において探索したグループ認証用のＩＤ及びパスワード（図８に示したＰａｓｓｗｄ）を、認証物２００と交換してグループ認証を行う。
【０１３２】
一方、ステップＳ３３１においてグループ認証を行わないと判定された場合、携帯端末３００の連絡部３０５は、ステップＳ３３３にて不明（不審）な認証物２００（登録されていないスポットＩＤを持つ認証物２００）として通知を行うか否かの判定を行う。例えば、携帯端末３００自身に関する情報に、不審な認証物２００を検出した際に通知するか、不審な認証物２００を連続して検出した場合に最初に通知をするまでの回数や時間（例えば何回又は何秒連続して不審な認証物２００を検出したら通知するか）などについての情報が含まれているとすると、ステップＳ３３３の判定処理は、不審な認証物２００を検出する際に通知する前に、同じ認証物２００を連続して検出した回数や時間をカウントし、一定の回数又は時間を超えて検出された認証物２００があった場合、携帯端末３００の連絡部３０５は、ステップＳ３３４に進み、前述した緊急事態フラグをＯＮにする。一方、ステップＳ３３３にて不審な認証物２００の通知を行わないと判定した場合は、そのまま処理を終了する。
【０１３３】
図２８は、本実施の形態に係るサーバ装置の動作を示すフロー図である。ここで、図２８において、サーバ装置は図１９に示した処理（特にステップＳ２２５）を実行する認証物２００と図２５に示した処理（特にステップＳ３１６）を実行する携帯端末３００と通信するサーバ４００であるとする。
【０１３４】
サーバ４００において、受信部４０２は、携帯端末３００により送信されたグループＩＤを携帯端末３００から受信する（ステップＳ４０１：受信ステップ（処理））。通過情報生成部４０３は、受信部４０２により受信されたグループＩＤに対応する電車の車両に乗る前に通過すべき駅の改札口を携帯端末３００が通過したことを示す通過情報７０３を生成する（ステップＳ４０２：通過情報生成ステップ（処理））。送信部４０４は、受信部４０２により受信されたグループＩＤに対応する電車の車両を特定し（ステップＳ４０３）、通過情報生成部４０３により生成された通過情報７０３をその電車の各車両に設置された認証物２００に送信する（ステップＳ４０４）（ステップＳ４０３、Ｓ４０４：送信ステップ（処理））。
【０１３５】
以上のように、本実施の形態によれば、例えば、子供などの被保護者が行方不明のとき、バスや電車などの車両に乗ったとき、誤った車両に乗ったときなどに、被保護者の行方を保護者に自動的に通知することが可能となる。
【０１３６】
図２９は、上記実施の形態におけるサーバ装置の外観の一例を示す図である。
【０１３７】
図２９において、サーバ４００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６を備え、これらはケーブルで接続されている。さらに、サーバ４００は、ＬＡＮ９４２、ゲートウェイ９４１を介してインターネット９４０に接続されている。
【０１３８】
図３０は、上記実施の形態におけるサーバ装置のハードウェア構成の一例を示す図である。
【０１３９】
図３０において、サーバ４００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６と接続されている。
【０１４０】
ＲＡＭ９１４は、揮発性メモリの一例である。ＲＯＭ９１３、ＦＤＤ９０４、ＣＤＤ９０５、磁気ディスク装置９２０は、不揮発性メモリの一例である。これらは、記憶装置あるいは記憶部の一例である。
【０１４１】
通信ボード９１５は、ＬＡＮ９４２などに接続されている。通信ボード９１５は、受信部、送信部、入力部、出力部の一例である。
【０１４２】
例えば、Ｋ／Ｂ９０２、ＦＤＤ９０４などは、入力部の一例である。また、例えば、ＣＲＴ表示装置９０１などは、出力部の一例である。
【０１４３】
ここで、通信ボード９１５は、ＬＡＮ９４２に限らず、直接、インターネット９４０、あるいはＩＳＤＮ（Ｉｎｔｅｇｒａｔｅｄ  Ｓｅｒｖｉｃｅｓ  Ｄｉｇｉｔａｌ  Ｎｅｔｗｏｒｋ）などのＷＡＮに接続されていても構わない。直接、インターネット９４０、あるいはＩＳＤＮなどのＷＡＮに接続されている場合、サーバ４００は、インターネット９４０、あるいはＩＳＤＮなどのＷＡＮに接続され、ゲートウェイ９４１は不要となる。
【０１４４】
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【０１４５】
上記プログラム群９２３には、上述した実施の形態の説明において「〜部」として説明する機能を実行するプログラムが記憶されている。プログラムは、ＣＰＵ９１１により読み出され実行される。
【０１４６】
例えば、ＣＰＵ９１１などは、制御部あるいは制御装置の一例である。
【０１４７】
ファイル群９２４には、上述した実施の形態の説明において、「〜結果」として説明するものが、「〜ファイル」として記憶されている。
【０１４８】
また、上述した実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）などのその他の記録媒体に記録される。あるいは、信号線やその他の伝送媒体により伝送される。
【０１４９】
また、上述した実施の形態の説明において「〜部」として説明するものは、ＲＯＭ９１３に記憶されたファームウェアで実現されていても構わない。あるいは、ソフトウェアのみ、あるいは、ハードウェアのみ、あるいは、ソフトウェアとハードウェアとの組み合わせ、さらには、ファームウェアとの組み合わせで実施されても構わない。
【０１５０】
また、上述した実施の形態を実施するプログラムは、磁気ディスク装置９２０、ＦＤ、光ディスク、ＣＤ、ＭＤ、ＤＶＤなどのその他の記録媒体による記録装置を用いて記憶されても構わない。
【０１５１】
上記実施の形態における認証物２００、携帯端末３００のハードウェア構成は、図３０に示したものと同様であってもよい。この場合、例えば、図３０に示したＲＡＭ９１４、ＲＯＭ９１３、ＦＤＤ９０４、ＣＤＤ９０５、磁気ディスク装置９２０は、記憶装置あるいは記憶部の一例である。また、通信ボード９１５は、通信部、入力部、出力部、連絡部の一例である。そして、プログラム群９２３には、上述した実施の形態の説明において「〜部」として説明する機能を実行するプログラムが記憶されている。プログラムは、ＣＰＵ９１１により読み出され実行される。例えば、ＣＰＵ９１１などは、制御部あるいは制御装置の一例である。
【図面の簡単な説明】
【０１５２】
【図１】実施の形態１に係る通信システムの構成を示す図である。
【図２】実施の形態１に係る無線通信装置の構成を示すブロック図である。
【図３】実施の形態１に係る移動端末装置の構成を示すブロック図である。
【図４】実施の形態１に係るサーバ装置の構成を示すブロック図である。
【図５】実施の形態１に係る無線通信装置が管理する情報の一例を示す図である。
【図６】実施の形態１に係る無線通信装置が記録する情報の一例を示す図である。
【図７】実施の形態１に係る移動端末装置が管理する情報の一例を示す図である。
【図８】実施の形態１における属性情報の一例を示す図である。
【図９】実施の形態１に係る移動端末装置が記録する情報の一例を示す図である。
【図１０】実施の形態１に係るサーバ装置が記録する情報の一例を示す図である。
【図１１】実施の形態１に係るサーバ装置が無線通信装置から受信する情報の一例を示す図である。
【図１２】実施の形態１に係るサーバ装置が移動端末装置から受信する情報の一例を示す図である。
【図１３】実施の形態１に係る無線通信装置の動作を示すフロー図である。
【図１４】実施の形態１に係る無線通信装置の動作を示すフロー図である。
【図１５】実施の形態１に係る無線通信装置の動作を示すフロー図である。
【図１６】実施の形態１に係る無線通信装置の動作を示すフロー図である。
【図１７】実施の形態１に係る無線通信装置の動作を示すフロー図である。
【図１８】実施の形態１に係る無線通信装置の動作を示すフロー図である。
【図１９】実施の形態１に係る無線通信装置の動作を示すフロー図である。
【図２０】実施の形態１に係る無線通信装置の動作を示すフロー図である。
【図２１】実施の形態１に係る無線通信装置の動作を示すフロー図である。
【図２２】実施の形態１に係る無線通信装置の動作を示すフロー図である。
【図２３】実施の形態１に係る移動端末装置の動作を示すフロー図である。
【図２４】実施の形態１に係る移動端末装置の動作を示すフロー図である。
【図２５】実施の形態１に係る移動端末装置の動作を示すフロー図である。
【図２６】実施の形態１に係る移動端末装置の動作を示すフロー図である。
【図２７】実施の形態１に係る移動端末装置の動作を示すフロー図である。
【図２８】実施の形態１に係るサーバ装置の動作を示すフロー図である。
【図２９】各実施の形態におけるサーバ装置の外観の一例を示す図である。
【図３０】各実施の形態におけるサーバ装置のハードウェア構成の一例を示す図である。
【符号の説明】
【０１５３】
１００  通信システム、２００  認証物、２０１  記憶装置、２０２  通信部、２０３  連絡先情報記憶部、２０４  入力部、２０５  未通過情報記憶部、２０６  連絡部、２０７  通過情報生成部、２０８  通過情報記憶部、２０９  出力部、２１０  順序情報記憶部、２１１  予定時刻情報記憶部、２１２  未通過情報生成部、２１３  時刻平均計算部、２１４  予定時刻情報更新部、２１５  端末識別情報記憶部、２１６  加速度測定部、３００  携帯端末、３０１  記憶装置、３０２  通信部、３０３  物体識別情報記憶部、３０４  連絡先情報記憶部、３０５  連絡部、３０６  通過情報生成部、３０７  通過情報記憶部、３０８  出力部、３０９  順序情報記憶部、３１０  比較部、３１１  属性情報記憶部、３１２  関連物体情報記憶部、３１３  判定部、４００  サーバ、４０１  記憶装置、４０２  受信部、４０３  通過情報生成部、４０４  送信部、５００  連絡先、６００  公衆網、７０１  端末識別情報、７０２  連絡先情報、７０３  通過情報、７０４  順序情報、７０５  物体識別情報、７０６  予定時刻情報、７０７  通過時刻の平均、７０８  属性情報、７０９  関連物体情報、９０１  ＣＲＴ表示装置、９０２  Ｋ／Ｂ、９０３  マウス、９０４  ＦＤＤ、９０５  ＣＤＤ、９０６  プリンタ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９４０  インターネット、９４１  ゲートウェイ、９４２  ＬＡＮ。
【図１】
0004666484.tif 000002
【図２】
0004666484.tif 000003
【図３】
0004666484.tif 000004
【図４】
0004666484.tif 000005
【図５】
0004666484.tif 000006
【図６】
0004666484.tif 000007
【図７】
0004666484.tif 000008
【図８】
0004666484.tif 000009
【図９】
0004666484.tif 000010
【図１０】
0004666484.tif 000011
【図１１】
0004666484.tif 000012
【図１２】
0004666484.tif 000013
【図１３】
0004666484.tif 000014
【図１４】
0004666484.tif 000015
【図１５】
0004666484.tif 000016
【図１６】
0004666484.tif 000017
【図１７】
0004666484.tif 000018
【図１８】
0004666484.tif 000019
【図１９】
0004666484.tif 000020
【図２０】
0004666484.tif 000021
【図２１】
0004666484.tif 000022
【図２２】
0004666484.tif 000023
【図２３】
0004666484.tif 000024
【図２４】
0004666484.tif 000025
【図２５】
0004666484.tif 000026
【図２６】
0004666484.tif 000027
【図２７】
0004666484.tif 000028
【図２８】
0004666484.tif 000029
【図２９】
0004666484.tif 000030
【図３０】
0004666484.tif 000031